(57)【要約】【課題】発生音が小さい水道直圧式大便器を提供する。【解決手段】水道直圧式大便器に、ボウル部及びトラップ部を設け、ボウル部吐水口及びトラップ部吐水口に洗浄水を供給する給水装置を設ける。給水装置には、ボウル給水量及びトラップ給水量を調節する流量調整部を設け、この流量調整部を制御する制御部を設ける。制御部には時計を設ける。そして、予め静音モードとする時間帯を設定し、この時間帯においては、便器を洗浄するときに静音洗浄を行う。即ち、トラップ給水によりトラップ部にサイホン作用を発現させて溜水を一気に排出し、その後、ブロー洗浄時にトラップ給水量を低減すると共に少量のボウル給水を行い、トラップ給水のジェット水流に伴う発生音を低減する。【選択図】図１
2007146509.tif 000002
【特許請求の範囲】
【請求項１】
ボウル部に洗浄水を吐出するボウル部吐水口と、  
トラップ部に洗浄水を吐出するトラップ部吐水口と、  
前記ボウル部吐水口に供給する前記洗浄水の量及び前記トラップ部吐水口に供給する前記洗浄水の量を調整する流量調整部と、  
前記流量調整部を制御し、通常洗浄を行う通常モードと前記通常洗浄よりも発生音が小さい静音洗浄を行う静音モードとを切替える制御部と、  
を備えたことを特徴とする水道直圧式大便器。  
【請求項２】
前記制御部は時計を有し、予め設定された時間帯は前記静音モードとし、前記設定された時間帯以外の時間帯は前記通常モードとすることを特徴とする請求項１記載の水道直圧式大便器。  
【請求項３】
便座装置をさらに備え、  
前記制御部は、前記便座装置が節電運転中であるときは前記静音モードとし、節電運転中でないときは前記通常モードとすることを特徴とする請求項１記載の水道直圧式大便器。
【請求項４】
前記制御部は、前記水道直圧式大便器の使用頻度を識別する使用頻度識別手段を有し、使用頻度が相対的に低い時間帯を前記静音モードとすることを特徴とする請求項１記載の水道直圧式大便器。  
【請求項５】
前記制御部は、前記静音モードにあるときに、前記静音洗浄を所定の回数行う毎に、又は、所定の時間が経過する毎に、前記通常洗浄を行うことを特徴とする請求項１〜４のいずれか１つに記載の水道直圧式大便器。  
【請求項６】
便蓋と、  
前記便蓋を開閉する開閉装置と、  
をさらに備え、  
前記制御部は、前記静音モードにあるときは、前記開閉装置を作動させて前記便蓋を閉じてから前記洗浄を行うことを特徴とする請求項１〜５のいずれか１つに記載の水道直圧式大便器。  
【請求項７】
便蓋と、  
前記便蓋を開閉する開閉装置と、  
前記便蓋の開閉状態を検知する検知手段と、
をさらに備え、  
前記制御部は、前記静音モードにあるときに、前記検知手段が便蓋の開状態を検知した場合には前記静音洗浄を行い、前記検知手段が便蓋の閉状態を検知した場合には前記通常洗浄を行うように前記流量調整部を制御することを特徴とする請求項１〜４のいずれか１つに記載の水道直圧式大便器。  
【請求項８】
ボウル部に洗浄水を吐出するボウル部吐水口と、  
トラップ部に洗浄水を吐出するトラップ部吐水口と、  
前記ボウル部吐水口に供給する前記洗浄水の量及び前記トラップ部吐水口に供給する前記洗浄水の量を調整する流量調整部と、  
前記ボウル部を覆う便蓋と、  
前記便蓋を開閉する開閉装置と、  
前記流量調整部及び前記開閉装置を制御し、前記便蓋を開けたまま洗浄を行う通常モードと前記便蓋を閉じて洗浄を行う静音モードとを切替える制御部と、  
を備えたことを特徴とする水道直圧式大便器。  
【請求項９】
前記制御部は時計を有し、予め設定された時間帯は前記静音モードとし、前記設定された時間帯以外の時間帯は前記通常モードとすることを特徴とする請求項８記載の水道直圧式大便器。  
【請求項１０】
便座装置をさらに備え、  
前記制御部は、前記便座装置が節電運転中であるときは前記静音モードとし、節電運転中でないときは前記通常モードとすることを特徴とする請求項８記載の水道直圧式大便器。
【請求項１１】
前記制御部は、前記水道直圧式大便器の使用頻度を識別する使用頻度識別手段を有し、使用頻度が相対的に低い時間帯を前記静音モードとすることを特徴とする請求項８記載の水道直圧式大便器。  
【発明の詳細な説明】
【技術分野】
【０００１】
本発明は、水道直圧式大便器に関し、より詳細には、便器のボウル面を流れるように洗浄水を吐出するボウル部吐水口と、トラップ部の下流側に向けて洗浄水を吐出するトラップ部吐水口とを備えたシーケンシャルバルブ方式の水道直圧式大便器に関する。
【背景技術】
【０００２】
従来より、水洗大便器の給水方式には、ロータンク方式、ハイタンク方式、フラッシュバルブ方式及びシーケンシャルバルブ方式がある。このうち、ロータンク方式及びハイタンク方式は、一旦タンクに給水を受け、これを放出して便器を洗浄する方式である。この方式は、給水管径及び給水圧の制約がほとんどないという利点があるが、タンクを設ける必要があるため、タンクを設置するためのスペースが必要であると共に、デザインの面で制約がある。また、フラッシュバルブ方式は、給水管から直接一定量の水を放出させて便器を洗浄する方式である。この方式は、タンクを設ける必要はないが、一定以上の給水管径及び給水圧が必要であり、一般住宅には適していない。
【０００３】
これに対して、シーケンシャルバルブ方式の水道直圧式大便器は、タンクを設ける必要がなく、且つ、給水管径及び給水圧の制約がフラッシュバルブ方式よりも緩く一般住宅にも設置可能であるため、近年急速に普及しつつある（例えば、特許文献１参照。）。
【０００４】
図２６〜図３０は、水道直圧式大便器及びその動作を示す断面図であり、  
図３１は、横軸に時間をとり、縦軸に瞬間流量をとって、各吐水口から吐出される洗浄水の流量を示すグラフ図である。  
この水道直圧式大便器１０１においては、ボウル部１０２が設けられており、このボウル部１０２の底部１０２ａに連通したトラップ部１０３が設けられている。トラップ部１０３はＳ字形状をなしており、ボウル部１０２の底部１０２ａに連結された入口１０３ａから、一旦下方に向かって下方側の屈曲部１０３ｂに到達し、その後上方に向かって上方側の屈曲部１０３ｃに到達し、その後再び下方に向かって出口１０３ｄで下水管１２２に連通している。
【０００５】
また、水道直圧式大便器１０１には給水装置１０５が設けられており、この給水装置１０５からボウル部吐水口１０６及びトラップ部吐水口１０７が引き出されている。ボウル部吐水口１０６は、ボウル部１０２の内面に向けて洗浄水を吐出するものであり、トラップ部吐水口１０７は、トラップ部１０３の上流側の屈曲部１０３ｂから下流側の屈曲部１０３ｃに向けて洗浄水を吐出するものである。給水装置１０５内には切替バルブ（図示せず）が設けられており、この切替バルブが、上水管（図示せず）から給水装置１０５に供給された洗浄水を、ボウル部吐水口１０６に供給するかトラップ部吐水口１０７に供給するか切替えるようになっている。
【０００６】
次に、この水道直圧式大便器１０１の動作を説明する。  
水道直圧式大便器１０１は、待機状態においては、ボウル部１０２の下部及びトラップ１０３の入口１０３ａから屈曲部１０３ｂまでの部分に、溜水１２５が溜まっている。また、ボウル部吐水口１０６及びトラップ部吐水口１０７からは洗浄水は吐出されていない。
【０００７】
この状態で、使用者が便器洗浄スイッチ（図示せず）をオンにすると、図３１の期間Ｔ１０１及び図２６に示すように、まずボウル部吐水口１０６から洗浄水を吐出する。この洗浄水はボウル部１０２の内面に沿って例えば回転しながら流下する。これにより、ボウル部１０２の内面が洗浄されると共に、溜水１２５の水面１２５ａが上昇する。  
次に、図３１の期間Ｔ１０２及び図２７に示すように、ボウル部吐水口１０６からの吐水を停止すると共に、トラップ部吐水口１０７から洗浄水を吐出する。これにより、トラップ部１０３が満水状態となる。すると、トラップ部１０３においてサイホン作用が発現し、トラップ部１０３及びボウル部１０２内の溜水１２５が下水側に吸引され、一気に排出される。この結果、溜水１２５内の汚物が排出される。  
このとき、図２８に示すように、溜水１２５の水面１２５ａが下降し、トラップ部１０３の入口１０３ａよりも下がると、トラップ部１０３内に空気が流入し、サイホン作用が消失する。
【０００８】
この後も、図２９に示すように、トラップ部吐水口１０７から洗浄水を吐出し続けることにより、トラップ部１０３内がブロー洗浄され、トラップ部１０３内に残留した少量の溜水１２５が排出される。  
次に、図３１の期間Ｔ１０３及び図３０に示すように、トラップ部吐水口１０７が吐水を停止すると共に、ボウル部吐水口１０６から吐水を再開する。これにより、溜水が復水し、溜水１２５の水面１２５ａが元の位置まで上昇する。その後、ボウル部吐水口１０６からの吐水を停止する。これにより、一連の洗浄動作が完了する。
【０００９】
また、図３２は、横軸に時間をとり、縦軸に瞬間流量をとって、他の水道直圧式大便器の動作を示すグラフ図である。  
この水道直圧式大便器においては、ボウル部吐水口に洗浄水を供給する水路、及びトラップ部吐水口に洗浄水を供給する水路に、それぞれ止水構造を持つダイレクトバルブ（図示せず）が設けられている。これにより、図３２に示すように、給水の切替時に、ボウル部吐水口からの給水とトラップ部吐水口からの給水とがオーバーラップしないようになっている。
【００１０】
【特許文献１】特開２００１−７３４３４号公報
【発明の開示】
【発明が解決しようとする課題】
【００１１】
しかしながら、上述の技術には、以下の点で改善の余地があった。すなわち、この水道直圧式大便器１０１においては、図２９に示す工程において、溜水１２５の水面１２５ａが低くなり、トラップ部吐水口１０７から吐出されるジェット水流が大気中に露出する。このため、このジェット水流に起因する発生音が大きくなってしまう。水道直圧式大便器１０１は一般住宅に設置されることが多いため、特に夜間において、発生音はできるだけ抑えることが望ましい。
【００１２】
本発明はかかる課題の認識に基づいてなされたものであり、その目的は、発生音が小さい水道直圧式大便器を提供することにある。
【課題を解決するための手段】
【００１３】
上記目的を達成するため、本発明の一態様によれば、  
ボウル部に洗浄水を吐出するボウル部吐水口と、  
トラップ部に洗浄水を吐出するトラップ部吐水口と、  
前記ボウル部吐水口に供給する前記洗浄水の量及び前記トラップ部吐水口に供給する前記洗浄水の量を調整する流量調整部と、  
前記流量調整部を制御し、通常洗浄を行う通常モードと前記通常洗浄よりも発生音が小さい静音洗浄を行う静音モードとを切替える制御部と、  
を備えたことを特徴とする水道直圧式大便器が提供される。
【００１４】
また、本発明の他の一態様によれば、  
ボウル部に洗浄水を吐出するボウル部吐水口と、  
トラップ部に洗浄水を吐出するトラップ部吐水口と、  
前記ボウル部吐水口に供給する前記洗浄水の量及び前記トラップ部吐水口に供給する前記洗浄水の量を調整する流量調整部と、  
前記ボウル部を覆う便蓋と、  
前記便蓋を開閉する開閉装置と、  
前記流量調整部及び前記開閉装置を制御し、前記便蓋を開けたまま洗浄を行う通常モードと前記便蓋を閉じて洗浄を行う静音モードとを切替える制御部と、  
を備えたことを特徴とする水道直圧式大便器が提供される。
【発明の効果】
【００１５】
本発明によれば、発生音が小さい水道直圧式大便器を実現することができる。
【発明を実施するための最良の形態】
【００１６】
以下、図面を参照しつつ本発明の実施形態について説明する。  
先ず、本発明の第１の実施形態について説明する。  
図１は、本実施形態に係る水道直圧式大便器に設定されるモードを示す図である。  
また、図２（ａ）〜（ｄ）は、この水道直圧式大便器の動作を示すタイミングチャートであり、（ａ）は時計が計測する時刻を示し、（ｂ）は便器洗浄スイッチの状態を示し、（ｃ）は通常洗浄の動作状態を示し、（ｄ）は静音洗浄の動作状態を示す。  
また、図３は、この水道直圧式大便器を示すブロック図であり、  
図４は、この水道直圧式大便器を示す断面図である。
【００１７】
図１及び図２に示すように、本実施形態に係る水道直圧式大便器（以下、単に「便器」ともいう）は、「通常モード」及び「静音モード」の２つのモードを切替えて実行できるようになっている。通常モードとは、使用者が便器洗浄スイッチをオンにしたときに、通常洗浄を行うモードであり、静音モードとは、使用者が便器洗浄スイッチをオン（ＯＮ）にしたときに、通常洗浄よりも発生音が小さい静音洗浄を行うモードである。
【００１８】
図３及び図４に示すように、本実施形態に係る水道直圧式大便器（便器）１は、上水管２１及び下水管２２に接続されて使用されるものである。便器１には、上部が開口したボウル部２が設けられている。ボウル部２の開口部の周囲には、側壁が内側に折り込まれたリムが形成されており、ボウル部２内の水が外部に飛散することを防止している。また、便器１には、ボウル部２の底部２ａに連通したトラップ部３が設けられている。トラップ部３はＳ字形状をなしており、ボウル部２の底部２ａに連通した入口３ａから、一旦下方に向かって上流側の屈曲部３ｂに到達し、その後上方に向かって下流側の屈曲部３ｃに到達し、その後再び下方に向かって出口３ｄで下水管２２に連通している。即ち、屈曲部３ｃは屈曲部３ｂよりも高い位置にあり、上に凸となっている。
【００１９】
また、水道直圧式大便器１には、上水管２１に連通された給水装置５が設けられており、この給水装置５から、ボウル部２の内面に向けて洗浄水を吐出するボウル部吐水口６と、トラップ部３の下流側に向けて洗浄水を吐出するトラップ部吐水口７とが引き出されている。給水装置５は、上水管２１から供給された洗浄水を、ボウル部吐水口６及びトラップ部吐水口７に供給するものである。
【００２０】
ボウル部吐水口６は、ボウル部２のリムに沿ってほぼ水平に洗浄水を吐出する。これにより、ボウル部吐水口６から吐出された洗浄水は、先ずリムに沿って流れ、ボウル部２の内面に沿って例えば回転するように流れながら、次第に底部２ａに向かって流下する。以下、ボウル部吐水口６からの洗浄水の吐出を「ボウル給水」といい、その瞬間流量を「ボウル給水量」という。  
また、トラップ部吐水口７は、トラップ部３の上流側（下側）の屈曲部３ｂに設けられており、下流側（上側）の屈曲部３ｃに向けて洗浄水を高圧で吐出する。トラップ部吐水口７から吐出された洗浄水は、ジェット水流を形成して、屈曲部３ｂ内の水を屈曲部３ｃを越えて下流側に押し流すことができる。以下、トラップ部吐水口７からの洗浄水の吐出を「トラップ給水」といい、その瞬間流量を「トラップ給水量」という。
【００２１】
給水装置５においては、流量調整部８及び制御部９が設けられている。流量調整部８には、上水管２１に接続された定流量弁１０が設けられており、この定流量弁１０とボウル部吐水口６及びトラップ部吐水口７との間に、流路切替兼開閉バルブ１１が設けられている。定流量弁１０は、上水管２１内の水圧が変動しても水の瞬間流量を一定値、例えば毎分２０リットルに維持するものである。流路切替兼開閉バルブ１１は、定流量弁１０を介して供給された洗浄水をボウル部吐水口６及びトラップ部吐水口７に分配することにより、ボウル給水量及びトラップ給水量を調整するものである。なお、ボウル給水量とトラップ給水量との合計量は一定量となり、例えば毎分２０リットルとなる。
【００２２】
一方、制御部９は、給水装置５の外部に設けられた便器洗浄スイッチ１３に接続されている。便器洗浄スイッチ１３は、待機時「オフ」となっており、使用者が便器を洗浄したいときに「オン」とするものである。制御部９は、便器洗浄スイッチ１３から指令信号が入力されることにより、流量調整部８を制御して便器の洗浄を行うものである。制御部９には時計１２が設けられており、この時計１２に基づいて、通常モードと静音モードとが切替えられる。
【００２３】
便器１においては、ボウル部２、トラップ部３及び給水装置５を覆う筐体１５が設けられている。ボウル部２には開口部２ｂが形成されており、この開口部２ｂを介して、ボウル部２の内部が外部に連通する。例えば、ボウル部２、トラップ部３及び筐体１５は一体的に形成されており、例えば、陶器により形成されている。  
また、ボウル部２の開口部２ｂの周辺領域の上部には、例えば環状の便座１６が設けられている。便座１６は、その奥側、即ち、給水装置５側の端部を軸として筐体１５に対して回動可能となっており、その上昇位置にあるときは、ほぼ垂直に起立し、その下降位置にあるときは、開口部２ｂの周辺領域上でほぼ水平となり、便座として使用できるようになっている。  
更に、下降位置にあるときの便座１６の上方には、便蓋１７が設けられている。便蓋１７も、その奥側の端部を軸として筐体１５に対して回動可能となっており、下降位置にあるときは開口部２ｂを覆い、上昇位置にあるときは開口部２ｂを露出させて便器１を使用可能な状態とするものである。
【００２４】
次に、本実施形態に係る水道直圧式大便器１の動作について説明する。  
便器１の動作には、いくつかの異なる態様が考えられる。本実施形態においては、これらの態様のうち３つの態様を、第１〜第３の具体例として説明する。
【００２５】
先ず、第１の具体例について説明する。  
図５は、横軸に時間をとり、縦軸に瞬間流量をとって、各吐水口から吐出される洗浄水の流量を示すグラフ図であり、  
図６〜図１０は、この水道直圧式大便器の動作を示す断面図である。  
以下、図１〜図１０を参照しつつ説明する。
【００２６】
使用者は、予め制御部９に対して、便器１を静音モードとする時間帯を入力する。例えば、図１に示すように、２１時から翌朝９時までの夜間の時間帯を静音モードとし、それ以外の昼間の時間帯を通常モードとする。これにより、制御部９は、時計１２から出力される信号に基づいて、静音モードと通常モードとを切替える。
【００２７】
先ず、静音モードにおける便器１の動作について説明する。図４に示すように、待機状態、即ち、便器洗浄スイッチ１３（図３参照）がオフとなっている状態においては、ボウル部２の下部及びトラップ３の下部に、溜水２５が溜まっている。また、給水装置５には上水が供給されておらず、従って、ボウル部吐水口６及びトラップ部吐水口７からは洗浄水が吐出されていない。
【００２８】
図２に示すように、静音モードに設定された時間帯に使用者が便器洗浄スイッチ１３をオンにすると、静音洗浄が実行される。即ち、図５の期間Ｔ１及び図６に示すように、ボウル部吐水口６から洗浄水を吐出する。このときの瞬間流量（ボウル給水量）は例えば毎分２０リットルである。この洗浄水はボウル部２のリムに沿ってほぼ平行に吐出された後、ボウル部２の内面に沿って回転しながら流下する。これにより、ボウル部２の内面が洗浄されると共に、溜水２５の水面２５ａが上昇する。
【００２９】
次に、期間Ｔ２及び図７に示すように、流量調整部８の流路切替兼開閉バルブ１１を切替えることにより、ボウル部吐水口６からの吐水を停止すると共に、トラップ部吐水口７からの吐水を開始する。このとき、トラップ給水量は例えば毎分２０リットルとなる。これにより、トラップ部３の屈曲部３ｃに向けて洗浄水が流入し、トラップ部３が満水状態となる。  
すると、トラップ部３においてサイホン作用が発現し、トラップ部３内が負圧となるため、トラップ部３及びボウル部２内の溜水２５が下水側に吸引され、一気に下水管２２に流出する。この結果、トラップ部３及びボウル部２から、汚物を含む溜水２５が排出される。  
そして、図８に示すように、溜水２５の水面２５ａが下降し、トラップ部３の入口３ａよりも下がると、トラップ部３内に空気が流入し、サイホン作用が消失する。
【００３０】
次に、期間Ｔ３及び図９に示すように、流路切替兼開閉バルブ１１を切替えることにより、トラップ給水量の一部をボウル給水に振り分ける。即ち、トラップ給水量を低減すると共に、ボウル部吐水口６から少量の洗浄水を吐出する。これにより、トラップ部３内がブロー洗浄され、トラップ部３内に残留した少量の溜水２５が排出される。なお、この少量の溜水２５には少量の汚物が混在していることもあるが、ブロー洗浄により、この少量の汚物も溜水ごと排出される。  
このとき、トラップ給水量をＱ１とし、ボウル給水量をＱ２とすると、合計水量（Ｑ１＋Ｑ２）は、定流量弁１０によって規定される一定流量、例えば、毎分２０リットルとなる。本具体例においては、例えば、Ｑ１を毎分１３リットルとし、Ｑ２を毎分７リットルとする。
【００３１】
次に、期間Ｔ４及び図１０に示すように、トラップ給水を停止すると共に、ボウル給水量を増加させ、毎分２０リットルに戻す。これにより、溜水が復水し、溜水２５の水面２５ａが元の位置まで上昇する。その後、ボウル給水を停止する。これにより、便器１が待機状態に戻る。このようにして、静音洗浄が完了する。
【００３２】
この静音洗浄においては、期間Ｔ３において、トラップ給水量を例えば毎分２０リットルから毎分１３リットルに低減することにより、トラップ部吐水口７から噴射されるジェット水流の勢いが弱まり、このジェット水流に起因する発生音が低減する。また、ボウル部吐水口６から少量の洗浄水を吐出することにより、この洗浄水がトラップ部吐水口７から吐出されるジェット水流を一部覆い、大気から遮断する。これにより、ジェット水流に起因する発生音が更に低減する。
【００３３】
なお、期間Ｔ２から期間Ｔ３に移行するタイミング、即ち、トラップ給水量を低減すると共に、少量のボウル給水を開始するタイミングは、サイホン作用が発現した時点から、ジェット水流が大気中に露出する時点までの期間であることが好ましい。これは、サイホン作用が発現するまでは、トラップ部３内を満水にするために十分なトラップ給水量を必要とするが、サイホン作用が発現した後のブロー洗浄では、それほど大きなトラップ給水量は必要とせず、一方、ジェット水流が大気中に露出すると、発生音が大きくなるからである。この条件を満たす限りにおいて、期間Ｔ２からＴ３への移行のタイミングは、破封した時点、即ち、溜水２５の水面２５ａがトラップ部３の入口３ａよりも低下した時点よりも前であってもよく、後であってもよい。
【００３４】
次に、通常モードにおける便器１の動作について説明する。通常モードにおける待機状態の動作は、静音モードにおける待機状態の動作と同様である。即ち、図４に示す状態である。  
図２に示すように、この状態で使用者が便器洗浄スイッチ１３をオンにすると、通常洗浄が実行される。通常洗浄の動作は、上述の水道直圧式大便器の洗浄動作（図２６〜図３１参照）と同じである。即ち、先ず、ボウル給水量を例えば毎分２０リットルとして、ボウル部２の内面を洗浄する。次に、ボウル給水を停止すると共に、毎分２０リットルのトラップ給水を開始する。これにより、トラップ部３が満水状態となり、サイホン作用が発現し、トラップ部３及びボウル部２内の溜水２５が、汚物ごと排出される。そして、引き続き、毎分２０リットルのトラップ給水を行うことにより、ブロー洗浄を行う。次に、トラップ給水を停止すると共にボウル給水を再開して溜水を復水し、その後、ボウル給水を停止する。これにより、通常洗浄が完了する。
【００３５】
上述の如く、通常洗浄においては、ブロー洗浄時にトラップ給水量を最大流量（例えば毎分２０リットル）とすることにより、強力な洗浄効果を得ることができる。但し、この場合はトラップ部吐水口７からのジェット水流が大気中に曝されるため、タンク式の便器と比較して発生音が大きくなる場合がある。  
そこで、本実施形態においては、夜間等の発生音を抑制したい時間帯においては、便器１のモードを静音モードとして、発生音が小さい静音洗浄を行う。静音洗浄は、ブロー洗浄時にジェット水流の勢いを弱めるため、通常洗浄と比較するとブロー洗浄の効果が低いが、時間帯によって通常モードと静音モードとを切替えることにより、発生音対策と清浄な便器の維持とを両立させることができる。これは、静音洗浄の方法として、後述の第２及び第３の具体例を採用した場合においても、同様である。
【００３６】
次に、期間Ｔ３におけるトラップ部吐水口から吐出される洗浄水の瞬間流量について、定量的に説明する。  
図１１は、横軸に期間Ｔ３におけるトラップ給水量をとり、縦軸に、トラップ給水量を毎分２０リットルとした場合を基準として低減される発生音レベル（発生音レベル差）をとって、トラップ給水量が発生音に及ぼす影響を示すグラフ図である。なお、前述の如く、期間Ｔ３においては、トラップ給水量が低減した分、ボウル給水量は増加する。
【００３７】
図１１に示すように、トラップ給水量が少なくなるほど、発生音は低減する。一般に、人間は、発生音レベルが３ｄＢ以上低下すると、発生音が低減したと感じる。そして、図１１より、発生音レベル差を３ｄＢ以上とするためには、トラップ給水量を毎分１４．５リットル以下とする必要がある。一方、期間Ｔ３に実施するブロー洗浄において、少量の汚物を含有した溜水を確実に排水するためには、トラップ給水量を毎分１１リットル以上とすることが好ましい。従って、期間Ｔ３におけるトラップ給水量は、毎分１１〜１４．５リットルとすることが好ましい。
【００３８】
次に、第２の具体例について説明する。  
図１２は、横軸に時間をとり、縦軸に瞬間流量をとって、各吐水口から吐出される洗浄水の流量を示すグラフ図であり、  
図１３は、この水道直圧式大便器の動作の一部を示す断面図である。  
本第２の具体例においては、図３に示す流量調整部８に、定流量弁１０に代えて全体の瞬間流量を調整する瞬間流量調整バルブ（図示せず）が設けられている。従って、流路切替兼開閉バルブ１１は、瞬間流量調整バルブの下流側に設けられている。その他の構成は、第1の具体例と同様である。なお、本具体例では、瞬間流量調整バルブ及び流路切替兼開閉バルブ１１に代えて、ボウル部吐水口６の吐水量を調整するバルブ及びトラップ部吐水口７の吐水量を調整するバルブがそれぞれ設けられていてもよい。
【００３９】
本具体例において、静音モードとする時間帯の設定については、前述の第１の具体例と同様である。また、通常モードにおける洗浄動作も、前述の第１の具体例と同様である。更に、静音モードの待機状態における動作も、前述の第１の具体例と同様である。そこで、以下、静音モードにおける洗浄動作について説明する。
【００４０】
便器１が静音モードにあるときに、使用者が便器洗浄スイッチ１３をオンにすると、静音洗浄が実行される。このとき、図１２に示す期間Ｔ１１、Ｔ１２及びＴ１４における動作は、前述の第１の具体例における期間Ｔ１、Ｔ２及びＴ４（図５参照）の動作と同様である。  
即ち、図１２の期間Ｔ１１及び図６に示すように、ボウル給水量を例えば毎分２０リットルとする。これにより、ボウル部２の内面が洗浄されると共に、溜水２５の水面２５ａが上昇する。
【００４１】
次に、期間Ｔ１２及び図７に示すように、ボウル給水を停止すると共に、トラップ給水量を例えば毎分２０リットルとする。これにより、トラップ部３が満水状態となり、サイホン作用が発現し、トラップ部３及びボウル部２内の溜水２５が下水側に排出される。そして、図８に示すように、溜水２５の水面２５ａが下降し、トラップ部３の入口３ａよりも下がると、トラップ部３内に空気が流入し、サイホン作用が消失する。
【００４２】
次に、期間Ｔ１３及び図１３に示すように、トラップ給水量を例えば毎分１３リットルに低減する。これにより、トラップ部３内がブロー洗浄され、トラップ部３内に残留した少量の溜水が排出される。なお、このとき、ボウル給水は行わない。トラップ給水量を毎分２０リットルから毎分１３リットルに低減することにより、トラップ部吐水口７から噴射されるジェット水流の勢いが弱まり、このジェット水流に起因する発生音が低減する。
【００４３】
次に、期間Ｔ１４及び図１０に示すように、トラップ給水を停止すると共に、ボウル給水を再開する。このとき、ボウル給水量を例えば毎分２０リットルとする。これにより、溜水が復水し、溜水２５の水面２５ａが元の位置まで上昇し、待機状態に戻る。その後、ボウル給水を停止する。このようにして、静音洗浄が完了する。
【００４４】
次に、第３の具体例について説明する。  
図１４は、横軸に時間をとり、縦軸に瞬間流量をとって、各吐水口から吐出される洗浄水の流量を示すグラフ図であり、  
図１５は、この水道直圧式大便器の動作の一部を示す断面図である。  
本第３の具体例においては、流量調整部８の制御方法を除き、第２の具体例と同様である。
【００４５】
本第３の具体例において、静音モードとする時間帯の設定については、前述の第１の具体例と同様である。また、通常モードにおける洗浄動作も、前述の第１の具体例と同様である。更に、静音モードの待機状態における動作も、前述の第１の具体例と同様である。そこで、以下、静音モードにおける洗浄動作について説明する。
【００４６】
便器１が静音モードにあるときに、使用者が便器洗浄スイッチ１３をオンにすると、静音洗浄が実行される。このとき、図１４に示す期間Ｔ２１、Ｔ２２及びＴ２４における動作は、前述の第１の具体例における期間Ｔ１、Ｔ２及びＴ４（図５参照）の動作と同様である。
【００４７】
即ち、先ず、図１４の期間Ｔ２１及び図６に示すように、ボウル給水を行い、ボウル部２の内面を洗浄する。次に、期間Ｔ２２及び図７に示すように、ボウル給水を停止すると共に、トラップ給水量を例えば毎分２０リットルとし、トラップ部３にサイホン作用を発現させて、溜水２５を排出する。その後、図８に示すように、トラップ部３内に空気が流入すると、サイホン作用が消失する。
【００４８】
次に、期間Ｔ２３及び図１５に示すように、トラップ給水量を毎分２０リットルに維持したまま、少量のボウル給水を開始する。ボウル給水量は例えば毎分７リットルとする。これにより、トラップ部３内がブロー洗浄され、トラップ部３内に残留した少量の溜水が排出される。このとき、少量のボウル給水を行うことにより、このボウル給水がトラップ部吐水口７から噴射されるジェット水流を覆い、ジェット水流を大気から遮断することができる。これにより、このジェット水流に起因する発生音が低減する。
【００４９】
次に、期間Ｔ２４及び図１０に示すように、トラップ給水を停止すると共に、ボウル給水量を毎分２０リットルまで増加させる。これにより、溜水が復水し、溜水２５の水面２５ａが元の位置まで上昇し、待機状態に戻る。そして、ボウル給水を停止する。このようにして、静音洗浄が完了する。
【００５０】
次に、本実施形態の効果について説明する。  
上述の如く、本実施形態によれば、通常モードと静音モードとを設定できるようにし、発生音の抑制よりも確実な洗浄を優先させたい時間帯においては通常モードを選択し、発生音の抑制を優先させたい時間帯においては静音モードを選択することにより、発生音対策と清浄な便器の維持とを両立させることができる。  
また、通常モードと静音モードとの切替を時計により行っているため、一度、静音モードとする時間帯を設定しておけば、以後は時計の動作により、自動的に通常モードと静音モードとを切替えることができる。
【００５１】
なお、本実施形態に係る便器には、暖房便座装置や温水洗浄便座装置等の便座装置を設けてもよい。この場合、制御部９においては時計１２を設けず、便座装置に内蔵されている時計を使用してもよい。  
また、静音モードへの自動切替を行わないようにするスイッチを設けてもよい。さらに、静音モードへ移行する時間帯の設定は、静音モードに移行する開始時刻のみを設定するようにして、この開始時刻から所定時間経過した後には通常モードに切替えるようにしてもよく、それぞれのモードの開始時間を設定するようにしてもよい。さらにまた、その時間帯の設定は、毎日行うようにしてもよいし、週毎、月毎、曜日毎に行えるようにしてもよい。曜日毎に設定した場合には、同一曜日の同一時刻に自動的にモードが自動的に切替わるので、より人の生活パターンに近い設定が可能となる。
【００５２】
次に、本発明の第２の実施形態について説明する。  
図１６は、本実施形態に係る水道直圧式大便器を示すブロック図である。なお、図１６に示す構成要素のうち、図３に示す構成要素と同じ要素には同じ符号を付し、その詳細な説明を省略する。  
また、図１７（ａ）〜（ｄ）は、この水道直圧式大便器の動作を示すタイミングチャートであり、（ａ）は温水洗浄便座装置の節電運転モードの状態を示し、（ｂ）は便器洗浄スイッチの状態を示し、（ｃ）は通常洗浄の動作状態を示し、（ｄ）は静音洗浄の動作状態を示す。
【００５３】
本実施形態に係る水道直圧式大便器３１においては、温水洗浄便座装置３２が設けられている。温水洗浄便座装置３２は、上水管２１から水が供給され、この水を加熱して人体洗浄用ノズル３３に対して供給すると共に、便座１６（図４参照）を適宜暖房するものである。温水洗浄便座装置３２は、通常運転モードの他に、節電運転モードを設定できるようになっている。通常運転モード時には、温水洗浄便座装置３２は、人体洗浄用ノズル３３に供給する水を設定温度まで加熱すると共に、便座１６を設定温度に暖房する。これに対して、節電運転モード時には、人体洗浄用ノズル３３に対して供給する水の温度を設定温度よりも低い温度とし、便座１６の温度も設定温度よりも低い温度とする。これにより、快適性を大きく損なうことなく、消費電力を低減することができる。
【００５４】
また、給水装置３５には流量調整部８及び制御部３９が設けられており、制御部３９は便器洗浄スイッチ１３及び流量調整部８に接続されている。また、制御部３９は温水洗浄便座装置３２に接続されており、温水洗浄便座装置３２が通常運転モードにあるときは通常モードとなり、温水洗浄便座装置３２が節電運転モードにあるときは静音モードとなるようになっている。本実施形態における上記以外の構成は、上述の第１の実施形態と同様である。なお、制御部３９が温水洗浄便座装置３２の制御及び給水装置３５の制御を兼用するようにしてもよい。
【００５５】
次に、本実施形態の動作及び効果について説明する。  
本実施形態によれば、給水装置３５の制御部３９を温水洗浄便座装置と連動させることにより、便器３１は、昼間等の使用頻度が高い時間帯には通常モードに設定され、夜間等の使用頻度が低い時間帯には静音モードに設定される。このため、使用者がわざわざ静音モードの時間帯を設定する必要がない。  
本実施形態における静音洗浄の具体的な手順、即ち、ボウル給水及びトラップ給水のシーケンスは、第１の実施形態の第１〜第３の具体例と同様である。本実施形態における上記以外の動作及び効果は、前述の第１の実施形態と同様である。
【００５６】
次に、本発明の第３の実施形態について説明する。  
図１８は、本実施形態に係る水道直圧式大便器を示すブロック図である。なお、図１８に示す構成要素のうち、図３に示す構成要素と同じ要素には同じ符号を付し、その詳細な説明を省略する。  
また、図１９は、本実施形態に係る水道直圧式大便器の記憶手段を示す図であり、  
図２０（ａ）〜（ｄ）は、この水道直圧式大便器の動作を示すタイミングチャートであり、（ａ）は便器のモードを示し、（ｂ）は便器洗浄スイッチの状態を示し、（ｃ）は通常洗浄の動作状態を示し、（ｄ）は静音洗浄の動作状態を示す。
【００５７】
本実施形態に係る水道直圧式大便器４１においては、給水装置４５に流量調整部８及び制御部４９が設けられており、制御部４９は便器洗浄スイッチ１３及び流量調整部８に接続されている。制御部４９においては、時計１２と、便器４１が使用されたときにそれを検知するセンサー４３と、時計１２の出力信号及びセンサー４３の出力信号が入力され、便器４１の使用回数を時間帯毎に記憶する記憶手段４４とが設けられている。
【００５８】
センサー４３は、例えば、便器洗浄スイッチ１３がオンになったときにそれを検知する検出回路である。又は、センサー４３は、使用者が便座に座ったときに便座に加わる加重を検知する接点スイッチ、使用者が便座に座ったときに便座に伝わる使用者の体温を検知する温度サーミスタ、使用者が便器の前に立ったときにそれを検知する赤外線検出器若しくは超音波検出器、又は便器の洗浄に伴う配管内の水流の変化を検知する水流計であってもよい。記憶手段４４には、例えばＲＡＭ（Random Access Memory：ランダムアクセスメモリ）や不揮発性メモリなどが設けられている。本実施形態における上記以外の構成は、上述の第１の実施形態と同様である。
【００５９】
次に、本実施形態の動作について説明する。  
便器４１が使用されると、センサー４３がそれを検知して、検知信号を記憶手段４４に対して出力する。記憶手段４４は、検知信号が入力されると、時計１２を参照してその時刻を認識し、便器４１の使用回数を時間帯毎に記憶する。記憶手段４４は例えば１日を複数の時間帯に分割し、各時間帯における使用回数を記憶し、例えば３０日前までのデータを記憶するようになっている。例えば、図１９に示す例においては、記憶手段４４は１日を４５分毎に３２の時間帯に分割し、今日の第１の時間帯（０時００分〜０時４５分）の使用回数は０回であり、今日の第４の時間帯（２時４５分〜３時３０分）の使用回数は１回であることを記憶している。
【００６０】
次に、制御部４９は、記憶手段４４に蓄積された情報に基づいて、便器４１の使用頻度が相対的に高い時間帯と、使用頻度が相対的に低い時間帯とを識別する。この識別の方法には種々の方法が考えられるが、例えば、最近のデータに重みを付けて加重平均をとって識別してもよく、同じ曜日のデータ、即ち、７日前、１４日前、２１日前及び２８日前のデータに重みを付けて加重平均をとって識別してもよい。そして、制御部４９は、使用頻度が相対的に高い時間帯を通常モードに設定し、使用頻度が相対的に低い時間帯を静音モードに設定する。例えば、制御部４９は、３２に分割した時間帯を、連続する２０の時間帯と１２の時間帯の２つに分割し、最も使用頻度が高くなる連続した２０の時間帯を通常モードに設定し、残りの使用頻度が低くなる連続した１２の時間帯を静音モードに設定するようにしてもよい。これにより、昼間等の使用頻度が高い時間帯には通常モードが設定され、夜間等の使用頻度が低い時間帯には静音モードが設定される。
【００６１】
そして、図２０に示すように、静音モードに設定されている時間帯では、便器洗浄スイッチがオンにされたときに静音洗浄を行い、通常モードに設定されている時間帯では、便器洗浄スイッチがオンにされたときに通常洗浄を行う。本実施形態においては、上述の如く、静音モードの時間帯及び通常モードの時間帯を便器の使用状況によって自動的に設定するが、本実施形態における静音洗浄の具体的手順、即ち、ボウル給水及びトラップ給水のシーケンスは、第１の実施形態の第１〜第３の具体例と同様である。本実施形態における上記以外の動作は、前述の第１の実施形態と同様である。
【００６２】
次に、本実施形態の効果について説明する。  
上述の如く、本実施形態によれば、制御部４９が時間帯毎の便器の使用頻度を判断して静音モードを設定することにより、通常モードと静音モードとを効果的に使い分けることができる。また、使用者がわざわざ静音モードの時間帯を設定する必要がない。本実施形態における上記以外の効果は、前述の第１の実施形態と同様である。
【００６３】
次に、本発明の第４の実施形態について説明する。  
図２１（ａ）〜（ｄ）は、本実施形態に係る水道直圧式大便器の動作を示すタイミングチャートであり、（ａ）は便器のモードを示し、（ｂ）は便器洗浄スイッチの状態を示し、（ｃ）は通常洗浄の動作状態を示し、（ｄ）は静音洗浄の動作状態を示す。  
本実施形態に係る水道直圧式大便器の構成は、前述の第１の実施形態と同様である。  
本実施形態においては、静音モードが設定されている場合においても、静音洗浄を所定の回数行う毎に１回、便器洗浄スイッチがオンにされたときに通常洗浄を行うようになっている。これにより、ボウル部又はトラップ部内に、静音洗浄によっては排出されにくい汚物が滞留している場合においても、数回に１回通常洗浄を行うことにより、汚物を確実に排出することができる。本実施形態における上記以外の動作及び効果は、前述の第１の実施形態と同様である。
【００６４】
なお、本実施形態においては、静音洗浄を所定の回数行う毎に通常洗浄を行う例を示したが、本発明はこれに限定されず、静音モードが設定されてから所定の時間が経過した後、便器洗浄スイッチがオンにされたときに、１回通常洗浄を行ってもよい。  
また、本実施形態は、前述の第２又は第３の実施形態と組み合わせてもよい。
【００６５】
次に、本発明の第５の実施形態について説明する。  
図２２は、本実施形態に係る水道直圧式大便器を示すブロック図であり、  
図２３は、この水道直圧式大便器の動作を示すフローチャートである。  
本実施形態に係る水道直圧式大便器５１においては、便蓋１７を開閉する開閉装置５２が設けられている。開閉装置５２は給水装置の制御部５９に接続されており、制御部５９からの指令信号によって作動するものである。また、開閉装置５２には、便蓋１７の開閉状態を検知する検知部（図示せず）が設けられている。
【００６６】
また、便器５１には、人体センサー５３が設けられている。人体センサー５３は、人体（使用者）が便器５１の周辺、即ち、便座１６上または便器５１の前方にいるかどうかを検知するものであり、例えば、赤外線センサーや超音波センサーなどにより構成されている。人体センサー５３の検知結果は、制御部５９に入力されるようになっている。本実施形態における上記以外の構成は、前述の第１の実施形態と同様である。
【００６７】
次に、本実施形態の動作について説明する。  
図２３のステップＳ１に示すように、便器洗浄スイッチ１３がオフになっているときは、便器５１は待機状態となっている。そして、使用者が便器洗浄スイッチ１３をオンにすると、その信号が制御部５９に入力される。これにより、制御部５９は、ステップＳ２に示すように、便器５１が静音モードにあるかどうかを判断する。その結果、通常モードにあればステップＳ６に進み、直ちに便器の洗浄を行い、静音モードにあれば、ステップＳ３に進む。  
ステップＳ３においては、制御部５９は、人体センサー５３からの信号に基づいて、使用者が便座１６上または便器５１の前方にいるかどうかを判断する。使用者が便座１６上または便器５１の前方にいなければ、ステップＳ４に進み、開閉装置５２を作動させて便蓋１７を閉じる。  
そして、ステップＳ５に進み、開閉装置５２の検知部により便蓋１７が閉じたことを確認した後、ステップＳ６に示すように、便器の洗浄を行う。便器の洗浄は、通常洗浄でもよいが、第１の実施形態の第１〜第３のいずれかの具体例に示す静音洗浄を行うことが好ましい。
【００６８】
次に、本実施形態の効果について説明する。  
本実施形態によれば、静音モードにおいては、便蓋１７を閉めてから洗浄を行うため、発生音を低減することができる。また、このとき、静音洗浄を行うことにより、発生音をより一層低減することができる。本実施形態における上記以外の動作及び効果は、前述の第１の実施形態と同様である。  
なお、本実施形態は前述の第２〜第４のいずれかの実施形態と組み合わせてもよい。
【００６９】
次に、本発明の第６の実施形態について説明する。  
図２４は、本実施形態に係る水道直圧式大便器を示すブロック図であり、  
図２５は、この水道直圧式大便器の動作を示すフローチャートである。  
本実施形態に係る水道直圧式大便器６１においては、便蓋１７を開閉する開閉装置６２が設けられており、この開閉装置６２には、便蓋１７の開閉状態を検知する検知部６３が設けられている。開閉装置６２は給水装置６５の制御部６９に接続されており、制御部６９からの指令信号によって作動すると共に、検知部６３の検知結果を制御部６９に対して出力するものである。本実施形態における上記以外の構成は、前述の第１の実施形態と同様である。
【００７０】
次に、本実施形態の動作について説明する。  
図２５のステップＳ１１に示すように、便器洗浄スイッチ１３がオフになっているときは、便器６１は待機状態となっている。そして、使用者が便器洗浄スイッチ１３をオンにすると、その信号が制御部６９に入力される。これにより、制御部６９は、ステップＳ１２に示すように、便器６１が静音モードにあるかどうかを判断する。その結果、通常モードにあればステップＳ１４に進み、通常洗浄にて便器洗浄を行い、静音モードにあれば、ステップＳ１３に進む。  
ステップＳ１３においては、制御部６９は、検知部６３により便蓋１７が閉じた状態にあるかどうかを判断する。  
そして、便蓋１７が閉じていれば、Ｓ１４に進み通常洗浄にて便器洗浄を行う。
便蓋１７が閉じていなければ、ステップＳ１５に進み、第１の実施形態の第１〜第３のいずれかの具体例に示す静音洗浄にて便器の洗浄を行う。
【００７１】
次に、本実施形態の効果について説明する。  
本実施形態によれば、静音モードにおいて、便蓋１７の開状態のときは、静音洗浄を行うので、発生音を低減することができる。また、便蓋が閉状態のときは、通常洗浄を行うが、便蓋１７が閉じているため、洗浄に伴う発生音は小さい。これにより、発生音対策と清浄な便器の維持とを、より高いレベルで両立させることができる。  
なお、本実施形態は前述の第２〜第４のいずれかの実施形態と組み合わせてもよい。
【００７２】
なお、上述の各実施形態において、ボウル部吐水口に洗浄水を供給する水路、及びトラップ部吐水口に洗浄水を供給する水路に、それぞれ止水構造を持つダイレクトバルブを設けてもよい。これにより、図３２に示すように、給水の切替時に、ボウル部吐水口からの給水とトラップ部吐水口からの給水とがオーバーラップしなくなる。
【００７３】
以上、図面を参照しつつ本発明の実施形態について説明した。しかし、本発明は、これらの実施形態に限定されるものではない。例えば、照度センサ等を用いて明るさを検知し、暗くなってから直ちにあるいは所定時間経過後に自動的に静音モードに移行し、明るくなった時点で通常モードに復帰するように構成してもよい。すなわち、本発明の水道直圧式大便器を構成する要素について当業者が設計変更を加えたものであっても、本発明の要旨を備えたものであれば、本発明の範囲に包含される。例えば、ボウル部、トラップ部、ボウル部吐水口、トラップ部吐水口、筐体、便座及び便蓋の形状、並びに給水装置内の配管構成などについては、当業者が適宜設計変更を加えたものも、本発明の要旨を含む限り本発明の範囲に包含される。
【図面の簡単な説明】
【００７４】
【図１】本発明の第１の実施形態に係る水道直圧式大便器に設定されるモードを示す図である。
【図２】（ａ）〜（ｄ）は、この水道直圧式大便器の動作を示すタイミングチャートであり、（ａ）は時計が計測する時刻を示し、（ｂ）は便器洗浄スイッチの状態を示し、（ｃ）は通常洗浄の動作状態を示し、（ｄ）は静音洗浄の動作状態を示す。
【図３】この水道直圧式大便器を示すブロック図である。
【図４】この水道直圧式大便器を示す断面図である。
【図５】横軸に時間をとり、縦軸に瞬間流量をとって、第１の具体例において各吐水口から吐出される洗浄水の流量を示すグラフ図である。
【図６】第１の具体例における水道直圧式大便器の動作を示す断面図である。
【図７】第１の具体例における水道直圧式大便器の動作を示す断面図であり、図６の次の工程を示す。
【図８】第１の具体例における水道直圧式大便器の動作を示す断面図であり、図７の次の工程を示す。
【図９】第１の具体例における水道直圧式大便器の動作を示す断面図であり、図８の次の工程を示す。
【図１０】第１の具体例における水道直圧式大便器の動作を示す断面図であり、図９の次の工程を示す。
【図１１】横軸に期間Ｔ３におけるトラップ給水量をとり、縦軸に、トラップ給水量を毎分２０リットルとした場合を基準として低減される発生音レベル（発生音レベル差）をとって、トラップ給水量が発生音に及ぼす影響を示すグラフ図である。
【図１２】横軸に時間をとり、縦軸に瞬間流量をとって、第２の具体例において各吐水口から吐出される洗浄水の流量を示すグラフ図である。
【図１３】第２の具体例における水道直圧式大便器の動作の一部を示す断面図である。
【図１４】横軸に時間をとり、縦軸に瞬間流量をとって、第３の具体例において各吐水口から吐出される洗浄水の流量を示すグラフ図である。
【図１５】第３の具体例における水道直圧式大便器の動作の一部を示す断面図である。
【図１６】本発明の第２の実施形態に係る水道直圧式大便器を示すブロック図である。
【図１７】（ａ）〜（ｄ）は、この水道直圧式大便器の動作を示すタイミングチャートであり、（ａ）は温水洗浄便座装置の節電運転モードの状態を示し、（ｂ）は便器洗浄スイッチの状態を示し、（ｃ）は通常洗浄の動作状態を示し、（ｄ）は静音洗浄の動作状態を示す。
【図１８】本発明の第３の実施形態に係る水道直圧式大便器を示すブロック図である。
【図１９】本実施形態に係る水道直圧式大便器の記憶手段を示す図である。
【図２０】（ａ）〜（ｄ）は、この水道直圧式大便器の動作を示すタイミングチャートであり、（ａ）は便器のモードを示し、（ｂ）は便器洗浄スイッチの状態を示し、（ｃ）は通常洗浄の動作状態を示し、（ｄ）は静音洗浄の動作状態を示す。
【図２１】（ａ）〜（ｄ）は、本実施形態に係る水道直圧式大便器の動作を示すタイミングチャートであり、（ａ）は便器のモードを示し、（ｂ）は便器洗浄スイッチの状態を示し、（ｃ）は通常洗浄の動作状態を示し、（ｄ）は静音洗浄の動作状態を示す。
【図２２】本発明の第５の実施形態に係る水道直圧式大便器を示すブロック図である。
【図２３】この水道直圧式大便器の動作を示すフローチャートである。
【図２４】本発明の第６の実施形態に係る水道直圧式大便器を示すブロック図である。
【図２５】この水道直圧式大便器の動作を示すフローチャートである。
【図２６】水道直圧式大便器及びその動作を示す断面図である。
【図２７】この水道直圧式大便器及びその動作を示す断面図であり、図２６の次の工程を示す。
【図２８】この水道直圧式大便器及びその動作を示す断面図であり、図２７の次の工程を示す。
【図２９】この水道直圧式大便器及びその動作を示す断面図であり、図２８の次の工程を示す。
【図３０】この水道直圧式大便器及びその動作を示す断面図であり、図２９の次の工程を示す。
【図３１】横軸に時間をとり、縦軸に瞬間流量をとって、各吐水口から吐出される洗浄水の流量を示すグラフ図である。
【図３２】横軸に時間をとり、縦軸に瞬間流量をとって、他の水道直圧式大便器の動作を示すグラフ図である。
【符号の説明】
【００７５】
１、３１、４１、５１、６１  水道直圧式大便器
２  ボウル部
２ａ  底部
２ｂ  開口部
３  トラップ部
３ａ  入口
３ｂ  屈曲部
３ｃ  屈曲部
３ｄ  出口
５、３５、４５、６５  給水装置
６  ボウル部吐水口
７  トラップ部吐水口
８  流量調整部
９、３９、４９、５９、６９  制御部
１０  定流量弁
１１  流路切替兼開閉バルブ
１２  時計
１３  便器洗浄スイッチ
１５  筐体
１６  便座
１７  便蓋
２１  上水管
２２  下水管
２５  溜水
２５ａ  水面
３２  温水洗浄便座装置
３３  人体洗浄用ノズル
４３  センサー
４４  記憶手段
５２、６２  開閉装置
５３  人体センサー
６３  検知部
１０１  水道直圧式大便器
１０２  ボウル部
１０２ａ  底部
１０３  トラップ部
１０３ａ  入口
１０３ｂ  屈曲部
１０３ｃ  屈曲部
１０３ｄ  出口
１０５  給水装置
１０６  ボウル部吐水口
１０７  トラップ部吐水口
１２２  下水管
１２５  溜水
１２５ａ  水面
【図１】
2007146509.tif 000003
【図２】
2007146509.tif 000004
【図３】
2007146509.tif 000005
【図４】
2007146509.tif 000006
【図５】
2007146509.tif 000007
【図６】
2007146509.tif 000008
【図７】
2007146509.tif 000009
【図８】
2007146509.tif 000010
【図９】
2007146509.tif 000011
【図１０】
2007146509.tif 000012
【図１１】
2007146509.tif 000013
【図１２】
2007146509.tif 000014
【図１３】
2007146509.tif 000015
【図１４】
2007146509.tif 000016
【図１５】
2007146509.tif 000017
【図１６】
2007146509.tif 000018
【図１７】
2007146509.tif 000019
【図１８】
2007146509.tif 000020
【図１９】
2007146509.tif 000021
【図２０】
2007146509.tif 000022
【図２１】
2007146509.tif 000023
【図２２】
2007146509.tif 000024
【図２３】
2007146509.tif 000025
【図２４】
2007146509.tif 000026
【図２５】
2007146509.tif 000027
【図２６】
2007146509.tif 000028
【図２７】
2007146509.tif 000029
【図２８】
2007146509.tif 000030
【図２９】
2007146509.tif 000031
【図３０】
2007146509.tif 000032
【図３１】
2007146509.tif 000033
【図３２】
2007146509.tif 000034